(57)【要約】      （修正有）【課題】精度の高い時刻情報を発信している基地局を選択すると共に、かかる基地局からの時刻情報に基づいて時刻修正を行なうことができる時刻修正装置等を提供すること。【解決手段】腕時計１０は、制御部２９を有し、制御部２９は、各種プログラム格納部３０、第１の各種データ記憶部４０及び第２の各種データ記憶部５０の各種データを処理する構成となっている。携帯基地局から発信される時刻情報と、この時刻情報の発信タイミング情報である基地局側時刻発信タイミング情報とを含む時刻関連情報を受信するＣＤＭＡ基地局電波受信部２４と、各種プログラム格納部３０は時刻情報に基づいて時刻表示部の表示時刻情報を修正する表示時刻情報修正部と受信した時刻情報及び／又は基地局側時刻発信タイミング情報の情報精度を判断する情報精度判断部を有し、時刻精度判断部の判断結果に基づいて表示時刻情報修正部が表示時刻情報を修正する構成となっている。【選択図】図３
2008175633.tif 000002
【特許請求の範囲】
【請求項１】
携帯基地局から発信される時刻情報と、この時刻情報の発信タイミング情報である基地局側時刻発信タイミング情報とを含む時刻関連情報を受信する受信部と、
時刻表示部の表示時刻情報を修正する表示時刻情報修正部と、を有し、
前記受信した前記時刻情報及び／又は前記基地局側時刻発信タイミング情報の情報精度を判断する情報精度判断部を有し、前記時刻精度判断部の判断結果に基づいて前記表示時刻情報修正部が前記表示時刻情報を修正する構成となっていることを特徴とする時刻修正装置。
【請求項２】
前記表示時刻情報修正部が修正する前記表示時刻情報の基準となる時刻表示部側発信タイミング情報を生成する時刻表示部側発信タイミング情報生成部を有し、
前記情報精度判断部が、前記基地局側時刻発信タイミング情報に基づいて、前記時刻表示部側発信タイミング情報を修正する発信タイミング情報修正部を有することを特徴とする請求項１に記載の時刻修正装置。
【請求項３】
前記時刻表示部の前記表示時刻情報を外部入力にて変更するための表示時刻情報変更部と、を有し、
前記情報精度判断部が、前記表示時刻情報変更部から入力された情報に基づき、前記時刻表示部の前記表示時刻情報を修正するか否かを判断する構成となっていることを特徴とする請求項１又は請求項２に記載の時刻修正装置。
【請求項４】
前記基地局側時刻発信タイミング情報を格納する基地局側時刻発信タイミング情報格納部と、
前記時刻情報を前記基地局側時刻発信タイミング情報と関連付けて格納する時刻情報格納部と、を有し、
前記情報精度判断部が、前記基地局側時刻発信タイミング情報格納部に格納された複数の前記基地局側時刻発信タイミング情報から最も多く共通する前記基地局側時刻発信タイミング情報を抽出する基地局側時刻発信タイミング情報抽出部を有し、
前記表示時刻情報修正部は、前記基地局側時刻発信タイミング情報抽出部により抽出された前記基地局側時刻発信タイミング情報に関連する前記時刻情報により前記表示時刻情報を修正することを特徴とする請求項２又は請求項３に記載の時刻修正装置。
【請求項５】
前記時刻情報に含まれる地球の自転等に関する閏秒情報を格納する閏秒情報格納部と、
前記閏秒情報に基づいて前記表示時刻情報を修正するための閏秒実行時期情報を格納する閏秒実行時期情報格納部と、を有し、
前記表示時刻情報修正部は、前記閏秒情報を含む前記時刻情報、前記閏秒実行時期情報及び前記表示時刻情報変更部にて入力された情報に基づいて前記表示時刻情報を修正することを特徴とする請求項４に記載の時刻修正装置。
【請求項６】
前記時刻情報に含まれる時差情報及び／又はサマータイム情報を格納する時差情報等格納部を有し、
前記表示時刻情報修正部は、前記時差情報及び／又はサマータイム情報に基づいて前記表示時刻情報を修正する構成となっていることを特徴とする請求項１に記載の時刻修正装置。
【請求項７】
携帯基地局から発信される発信される前記時刻情報と、この時刻情報の発信タイミング情報である基地局側時刻発信タイミング情報とを含む時刻関連情報を受信する受信部と、
時刻表示部の表示時刻情報を修正する表示時刻情報修正部と、を有し、
前記受信した前記時刻情報及び／又は前記基地局側時刻発信タイミング情報の情報精度を判断する情報精度判断部を有し、前記時刻精度判断部の判断結果に基づいて前記表示時刻情報修正部が前記表示時刻情報を修正する構成となっていることを特徴とする時刻修正装置付き計時装置。
【請求項８】
携帯基地局から発信される時刻情報と、この時刻情報の発信タイミング情報である基地局側時刻発信タイミング情報とを含む時刻関連情報を受信する受信部と、
時刻表示部の表示時刻情報を修正する表示時刻情報修正部と、
前記表示時刻情報修正部が修正する前記表示時刻情報の基準となる時刻表示部側発信タイミング情報を生成する時刻表示部側発信タイミング情報生成部と、を有する時刻修正装置を用いた時刻修正方法であって、
基地局側時刻発信タイミング情報格納部に前記基地局側時刻発信タイミング情報を格納する基地局側時刻発信タイミング情報格納工程と、
前記時刻情報を前記基地局側時刻発信タイミング情報と関連付けて時刻情報格納部に格納する時刻情報格納工程と、
発信タイミング情報修正部が、前記基地局側時刻発信タイミング情報に基づいて、前記時刻表示部側発信タイミング情報を修正する発信タイミング情報修正工程と、
基地局側時刻発信タイミング情報抽出部が、前記基地局側時刻発信タイミング情報格納部に格納された複数の前記基地局側時刻発信タイミング情報から最も共通する前記基地局側時刻発信タイミング情報を抽出する基地局側時刻発信タイミング情報抽出工程と、を有し、
前記表示時刻情報修正部は、前記基地局側時刻発信タイミング情報抽出部により抽出された前記基地局側時刻発信タイミング情報に関連する前記時刻情報により前記表示時刻情報を修正することを特徴とする時刻修正方法。
【発明の詳細な説明】
【技術分野】
【０００１】
本発明は、例えばＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で基地局から発信される信号に含まれる時刻情報に基づいて時刻修正を行う時刻修正装置、時刻修正装置付き計時装置及び時刻修正方法に関するものである。
【背景技術】
【０００２】
現在、ＣＤＭＡ方式の携帯電話通信網で基地局から携帯電話機に対して発信される信号には、時刻情報が含まれ、この時刻情報は、ＧＰＳ（Ｇｌｏｂａｌ  Ｐｏｓｉｔｉｏｎｉｎｇ  Ｓｙｓｔｅｍ）衛星の原子時計に基づくＧＰＳ時刻に合致した極めて精度の高い時刻情報となっている。
したがって、このＣＤＭＡ方式の携帯電話通信網で基地局から送信されるＧＰＳ時刻データを端末が取得し、このＧＰＳ時刻データを用いて内蔵時計の時刻データを補正しようとする提案がなされている（例えば、特許文献１）。
【特許文献１】特開２０００−３２１３８３号公報（要約等）
【発明の開示】
【発明が解決しようとする課題】
【０００３】
このようにＧＰＳ衛星の時刻情報が基地局内に取り込まれるが、その時刻情報が発信されるときは、各基地局のクロックに基づく発信タイミングに基づいて行なわれる。
しかし、各基地局のクロックが特定時刻情報を発信するタイミングは、初期設定時の設定のズレ等で僅かに相違する。これがため、基地局が特定時刻情報（例えば、１２時００分００秒）を発信するタイミングは、ＧＰＳ衛星が同じ特定時刻情報を発信するタイミングと比べ僅かにズレることになる。
このズレは、ＧＰＳ衛星が特定時刻情報を発信するタイミングデータを基地局が取得し、このタイミングに合わせて、基地局が同じ特定時刻情報を発信するように補正することで、基地局から発信される時刻情報は精度の高い情報となる。
【０００４】
しかしながら、例えば、基地局が地下に設置されている場合は、アンテナ等からＧＰＳ衛星の特定時刻情報が発信されるタイミングを取得することができず、そのタイミングのズレを修正することができない。このため、時刻修正を精度良く行うことが困難であるという問題があった。
【０００５】
そこで、本発明は、精度の高い時刻情報を発信している基地局を選択すると共に、かかる基地局からの時刻情報に基づいて時刻修正を行なうことができる時刻修正装置、時刻修正装置付き計時装置及び時刻修正方法を提供することを目的とする。
【課題を解決するための手段】
【０００６】
前記課題は、本発明によれば、携帯基地局から発信される時刻情報と、この時刻情報の発信タイミング情報である基地局側時刻発信タイミング情報とを含む時刻関連情報を受信する受信部と、時刻表示部の表示時刻情報を修正する表示時刻情報修正部と、を有し、前記受信した前記時刻情報及び／又は前記基地局側時刻発信タイミング情報の情報精度を判断する情報精度判断部を有し、前記時刻精度判断部の判断結果に基づいて前記表示時刻情報修正部が前記表示時刻情報を修正する構成となっていることを特徴とする時刻修正装置により達成される。
【０００７】
前記構成によれば、受信した時刻情報及び／又は基地局側時刻発信タイミング情報の情報精度を判断する情報精度判断部を有し、時刻精度判断部の判断結果に基づいて表示時刻情報修正部が表示時刻情報を修正する構成となっている。
したがって、例えば、基地局側時刻発信タイミング情報が、ＧＰＳ衛星の時刻情報の発信タイミングと相違する場合は、この情報精度判断部が、そのタイミングの相違を判断する。
そして、基地局の時刻情報の発信タイミングがＧＰＳ衛星の時刻情報の発信タイミングと合致したと判断した場合のみ、表示時刻情報修正部は、表示時刻情報を時刻情報に基づいて修正する。
したがって、従来のように、基地局によって、ＧＰＳ衛星の時刻情報の発信タイミングと大きくズレている場合でも、間違った時刻タイミングで時刻修正をすることを未然に防止することができる。
【０００８】
好ましくは、前記表示時刻情報修正部が修正する前記表示時刻情報の基準となる時刻表示部側発信タイミング情報を生成する時刻表示部側発信タイミング情報生成部を有し、前記情報精度判断部が、前記基地局側時刻発信タイミング情報に基づいて、前記時刻表示部側発信タイミング情報を修正する発信タイミング情報修正部を有することを特徴とする時刻修正装置である。
【０００９】
前記構成によれば、表示時刻情報修正部が修正する表示時刻情報の基準となる時刻表示部側発信タイミング情報を生成する時刻表示部側発信タイミング情報生成部を有し、前記情報精度判断部が、基地局側時刻発信タイミング情報に基づいて、時刻表示部側発信タイミング情報を修正する発信タイミング情報修正部が備わっている。
このため、時刻表示部側発信タイミング情報が狂って、例えば、１秒の間隔等が相違しても、基地局側時刻発信タイミング情報に基づいて修正等することができる。
つまり、時刻表示部側発信タイミングと基地局側時刻発信タイミングが相違し、この基地局側時刻発信タイミングとＧＰＳ衛星の時刻情報の発信タイミングが相違している場合は、時刻表示部側発信タイミングは、ＧＰＳ衛星と比べると、大きく相違していることになる。
しかし、本構成では、時刻表示部側発信タイミングは、基地局側時刻発信タイミングと合致するため、ＧＰＳ衛星との相違は、基地局側時刻発信タイミングとＧＰＳ衛星との相違に止まり、その差が縮小する。また、基地局側時刻発信タイミングは、設定時のズレがそのまま保持され、ＧＰＳ衛星との差は一定となる。
一方、時刻表示部側発信タイミングは、例えばＲＴＣ（リアルタイムクロック）等の精度によってズレ易い構成となっている。
この点、このズレ易い時刻表示部側発信タイミングを基地局側時刻発信タイミングに合わせることで、ＧＰＳ衛星の時刻情報の発信タイミングとのズレを大きくすることなく、一定に保持することができる。
また、この基地局側時刻発信タイミングがＧＰＳ衛星の時刻情報の発信タイミングと合致している場合は、時刻表示部側発信タイミングをＧＰＳ衛星と合致させることができる。
【００１０】
好ましくは、前記時刻表示部の前記表示時刻情報を外部入力にて変更するための表示時刻情報変更部と、を有し、前記情報精度判断部が、前記表示時刻情報変更部から入力された情報に基づき、前記時刻表示部の前記表示時刻情報を修正するか否かを判断する構成となっていることを特徴とする時刻修正装置である。
【００１１】
前記構成によれば、時刻表示部の表示時刻情報を外部入力にて変更するための表示時刻情報変更部と、を有し、前記情報精度判断部が、表示時刻情報変更部から入力された情報に基づき、時刻表示部の表示時刻情報を修正するか否かを判断する構成となっている。
このため、時刻修正装置を操作する利用者からの情報が表示時刻情報変更部から入力され、この情報を利用して前記情報精度判断部が、表示時刻情報を修正するか否かを判断する構成となっているので、より精度の高い時刻修正が可能となる。
【００１２】
好ましくは、前記基地局側時刻発信タイミング情報を格納する基地局側時刻発信タイミング情報格納部と、前記時刻情報を前記基地局側時刻発信タイミング情報と関連付けて格納する時刻情報格納部と、を有し、前記情報精度判断部が、前記基地局側時刻発信タイミング情報格納部に格納された複数の前記基地局側時刻発信タイミング情報から最も多く共通する前記基地局側時刻発信タイミング情報を抽出する基地局側時刻発信タイミング情報抽出部を有し、前記表示時刻情報修正部は、前記基地局側時刻発信タイミング情報抽出部により抽出された前記基地局側時刻発信タイミング情報に関連する前記時刻情報により前記表示時刻情報を修正することを特徴とする時刻修正装置である。
【００１３】
前記構成によれば、前記情報精度判断部が、基地局側時刻発信タイミング情報格納部に格納された複数の基地局側時刻発信タイミング情報から最も多く共通する基地局側時刻発信タイミング情報を抽出する基地局側時刻発信タイミング情報抽出部を有している。
通常、例えば、地下等のようにＧＰＳ衛星等から時刻情報等をアンテナ等で取得できない位置に配置される基地局はその数が少ない。一方、地上のようにＧＰＳ衛星から時刻情報等をアンテナ等で取得できる位置に配置される基地局はその数が多い。
このため、前記構成のように、複数の基地局から発信される基地局側時刻発信タイミング情報から最も多く共通する基地局側発信タイミング情報を抽出すれば、その情報は、地上に配置されている基地局からの情報である。
地上に配置されている基地局は、ＧＰＳ衛星から時刻情報が発信されているタイミングをアンテナ等で受信することができるため、この基地局から発信されている基地局側時刻発信タイミング情報は、ＧＰＳ衛星のタイミング情報と同期した精度の高い情報である。
つまり、前記構成によれば、基地局側時刻発信タイミング情報抽出部によって、精度の高い基地局の情報を選択することが可能となる。
【００１４】
また、前記構成によれば、表示時刻情報修正部は、基地局側時刻発信タイミング情報抽出部により抽出された基地局側時刻発信タイミング情報に関連する時刻情報により表示時刻情報を修正する。
つまり、表示時刻情報修正部は、上述の基地局側時刻発信タイミング情報抽出部によって抽出された精度の高い時刻情報により、表示時刻情報を修正するので、より精度良く時刻修正を行なうことができる。
【００１５】
好ましくは、前記時刻情報に含まれる地球の自転等に関する閏秒情報を格納する閏秒情報格納部と、前記閏秒情報に基づいて前記表示時刻情報を修正するための閏秒実行時期情報を格納する閏秒実行時期情報格納部と、を有し、前記表示時刻情報修正部は、前記閏秒情報を含む前記時刻情報、前記閏秒実行時期情報及び前記表示時刻情報変更部にて入力された情報に基づいて前記表示時刻情報を修正することを特徴とする時刻修正装置である。
【００１６】
前記構成によれば、表示時刻情報修正部は、閏秒情報を含む時刻情報、閏秒実行時期情報及び表示時刻情報変更部にて入力された情報に基づいて表示時刻情報を修正する。
このため、時刻修正装置が、実際に適用される前に変更された閏秒情報を取得しても、直ちに、その閏秒情報を適用し、表示時刻情報を修正することがなく、実施される時期まで待って閏秒情報が適用され、表示時刻情報が修正されることになる。
また、時刻修正装置が、変更された閏秒情報を取得しても、その変更を認識できない場合は、利用者の表示時刻情報変更部の操作で、閏秒情報の変更を認識することができるので、この場合も、その変更された閏秒情報を、実施される時期まで待って適用することができる。
【００１７】
好ましくは、前記時刻情報に含まれる時差情報及び／又はサマータイム情報を格納する時差情報等格納部を有し、前記表示時刻情報修正部は、前記時差情報及び／又はサマータイム情報に基づいて前記表示時刻情報を修正する構成となっていることを特徴とする時刻修正装置である。
【００１８】
前記構成によれば、表示時刻情報修正部は、時差情報及び／又はサマータイム情報に基づいて前記表示時刻情報を修正する構成となっている。
つまり、例えば、時刻修正装置の利用者が旅行等で時差が変わる地域等に移動する場合、移動後の地域等における基地局から時刻情報を取得して、時刻修正を行なうこととなる。しかし、地域によっては、基地局から発信される時刻情報の信頼度が低い場合がある。
この場合は、敢えて、基地局の時刻情報等に基づいて時刻修正を行なわず、時刻情報のうち、時差情報のみに基づいて時差のみを修正することで、時刻修正をすることで、かえって時刻が狂うという事態の発生を未然に防ぐことができる。
【００１９】
また、基地局の時刻情報のうち、時差情報とサマータイム情報のみに基づいて時差とサマータイムを修正することで、サマータイムを考慮した時刻修正とすることができる。
【００２０】
前記課題は、本発明によれば、携帯基地局から発信される発信される前記時刻情報と、この時刻情報の発信タイミング情報である基地局側時刻発信タイミング情報とを含む時刻関連情報を受信する受信部と、時刻表示部の表示時刻情報を修正する表示時刻情報修正部と、を有し、前記受信した前記時刻情報及び／又は前記基地局側時刻発信タイミング情報の情報精度を判断する情報精度判断部を有し、前記時刻精度判断部の判断結果に基づいて前記表示時刻情報修正部が前記表示時刻情報を修正する構成となっていることを特徴とする時刻修正装置付き計時装置により達成される。
【００２１】
前記課題は、本発明によれば、携帯基地局から発信される時刻情報と、この時刻情報の発信タイミング情報である基地局側時刻発信タイミング情報とを含む時刻関連情報を受信する受信部と、前記時刻情報に基づいて時刻表示部の表示時刻情報を修正する表示時刻情報修正部と、前記表示時刻情報修正部が修正する前記表示時刻情報の基準となる時刻表示部側発信タイミング情報を生成する時刻表示部側発信タイミング情報生成部と、を有する時刻修正装置を用いた時刻修正方法であって、基地局側時刻発信タイミング情報格納部に前記基地局側時刻発信タイミング情報を格納する基地局側時刻発信タイミング情報格納工程と、前記時刻情報を前記基地局側時刻発信タイミング情報と関連付けて時刻情報格納部に格納する時刻情報格納工程と、発信タイミング情報修正部が、前記基地局側時刻発信タイミング情報に基づいて、前記時刻表示部側発信タイミング情報を修正する発信タイミング情報修正工程と、基地局側時刻発信タイミング情報抽出部が、前記基地局側時刻発信タイミング情報格納部に格納された複数の前記基地局側時刻発信タイミング情報から最も共通する前記基地局側時刻発信タイミング情報を抽出する基地局側時刻発信タイミング情報抽出工程と、を有し、前記表示時刻情報修正部は、前記基地局側時刻発信タイミング情報抽出部により抽出された前記基地局側時刻発信タイミング情報に関連する前記時刻情報により前記表示時刻情報を修正することを特徴とする時刻修正方法により達成される。
【発明を実施するための最良の形態】
【００２２】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２３】
（第１の実施の形態）
図１は、本発明の時刻修正装置付き計時装置である例えば、第１の実施の形態にかかる時刻修正装置付き腕時計１０（以下「腕時計」という）を示す概略図であり、図２は、図１の腕時計１０の内部の主なハードウエア構成等を示す概略図である。
図１に示すように、腕時計１０は、その表面に文字板１２、長針、短針等の針１３等が配置されると共に、各種メッセージが表示されるＬＥＤ等からなるディスプレイ１４が形成されている。なお、ディスプレイ１４は、ＬＥＤの他、ＬＣＤ、アナログ表示等でも構わない。
【００２４】
また、図１に示すように、腕時計１０は、アンテナ１１を有しており、このアンテナ１１は、ＣＤＭＡ基地局１５ａ、１５ｂ等からの信号を受信する構成となっている。つまり、ＣＤＭＡ基地局１５ａ等は、ＣＤＭＡ方式の携帯電話通信網の基地局となっている。
しかし、本実施の形態の腕時計１０は携帯電話機能を有していないためのＣＤＭＡ基地局１５ａ等と電話通信をするものではなく、ＣＤＭＡ基地局１５ａ等から送信される信号から時刻情報等を受信し、その信号に基づいて時刻修正をしようとするものである。ＣＤＭＡ基地局１５ａ等から送信される信号も内容については後述する。
また、図１に示すように、腕時計１０には、その利用者が操作可能なりゅうず２８が形成されている。
このりゅうず２８は、腕時計１０の利用者が操作可能な表示時刻情報変更部の一例となっている。
【００２５】
先ず、図１の腕時計１０のハードウエア構成等について説明する。図２に示すように、腕時計１０はバス２０を備え、バス２０には、ＣＰＵ（Ｃｅｎｔｒａｌ  Ｐｒｏｃｅｓｓｉｎｇ  Ｕｎｉｔ）２１、ＲＡＭ（Ｒａｎｄｏｍ  Ａｃｃｅｓｓ  Ｍｅｍｏｒｙ）２２、ＲＯＭ（Ｒｅａｄ  Ｏｎｌｙ  Ｍｅｍｏｒｙ）２３等が接続されている。
また、バス２０には、ＣＤＭＡ基地局１５ａ等から発信の信号を受信する受信部である例えば、ＣＤＭＡ基地局電波受信機２４が接続されている。このＣＤＭＡ基地局電波受信機２４は、図１のアンテナ１１を有している。
また、バス２０には、時計機構であるＩＣ（半導体集積回路）等からなるリアルタイムクロック（ＲＴＣ）２５や温度補償回路付き水晶発振回路（ＴＣＸＯ）２６等も接続されている。
つまり、ＲＴＣ２５は、ＴＣＸＯ２６が生成するクロックタイミングにより時刻情報を生成する構成となっている。
このクロックタイミングが、時刻表示部側発信タイミング情報の一例であり、ＴＣＸＯ２６が時刻表示部側発信タイミング情報生成部の一例となっている。
【００２６】
また、図１の文字板１２、針１３、ＲＴＣ２５等は、表示時刻情報を表示する時刻表示部の一例となっている。
【００２７】
また、バス２０には、図１のディスプレイ１４やりゅうず２８が接続されている。このように、バス２０は、すべてのデバイスを接続する機能を有し、アドレスやデータパスを有する内部バスである。ＲＡＭ２２は、所定のプログラムの処理を行う他、バス２０に接続されたＲＯＭ２３等を制御している。ＲＯＭ２３は、各種プログラムや各種情報等を格納している。
【００２８】
図３乃至図６は、腕時計１０の主なソフトウエア構成等を示す概略図であり、図３は、腕時計１０の主なソフトウエア構成等の構成を示す概略全体図である。
図３に示すように、腕時計１０は、制御部２９を有し、制御部２９は、図３に示す各種プログラム格納部３０内の各種プログラム、第１の各種データ記憶部４０内の各種データ及び第２の各種データ記憶部５０内の各種データを処理する構成となっている。
また、図３には、各種プログラム格納部３０、第１の各種データ記憶部４０及び第２の各種データ記憶部５０と分けて示してあるが、実際に、このようにデータが分けて格納されているわけではなく、説明上の便宜のために分けて記載したものである。
なお、図３の第１の各種データ記憶部４０には、主に予め格納されているデータをまとめて示した。また、第２の各種データ記憶部５０には、第１の各種データ記憶部４０内のデータ等を各種プログラム格納部３０内のプログラムで処理した後のデータ等を主に示した。
図４は、図３の各種プログラム格納部３０内のデータを示す概略図であり、図５は、図３の第１の各種データ記憶部４０内のデータを示す概略図である。また、図６は、図３の第２の各種データ記憶部５０内のデータを示す概略図である。
図７乃至図９は、第１実施の形態にかかる腕時計１０の主な動作等を示す概略フローチャートである。具体的には、図７は、腕時計１０の電源等を入れた直後等の時刻修正等の工程を示す概略フローチャートであり、図８及び図９は、腕時計１０の通常使用における時刻修正等の工程を示す概略フローチャートである。
【００２９】
先ず、各実施の形態のフローチャート等の説明に入る前にＣＤＭＡ方式の携帯電話システムのうち、本実施の形態と関連ある部分を説明する。
ＣＤＭＡ方式の携帯電話システムは米国クアルコム社が開発した方式が１９９３年に米国の標準方式の一つ「ＩＳ９５」に採用されたことから本格的な運用が開始されており、これ以降、ＩＳ９５Ａ、ＩＳ９５Ｂ、ＣＤＭＡ２０００という改訂を経て現在に至っている。また、日本国ではＡＲＩＢ  ＳＴＤ−Ｔ５３に準じて携帯電話システムが運用されている。
このようなＣＤＭＡ方式は下り（ＣＤＭＡ基地局１５ａ等から移動局、本実施の形態では腕時計１０）は同期通信であるため、腕時計１０がＣＤＭＡ基地局１５ａ等の時刻データと同期する必要がある。ＣＤＭＡ基地局１５ａ等から送信されるＣＤＭＡ基地局信号である電波信号（以下、単に「信号」ともいう）は、具体的には、パイロットチャネル信号と、シンクチャネル信号を有している。パイロットチャネル信号は、ＣＤＭＡ基地局１５ａ等ごとに、異なったタイミングで送信されている信号であり、例えば、パイロットＰＮ信号である。
【００３０】
具体的には、このタイミングの相違は、ＣＤＭＡ基地局１５ａ等が発信するパイロットＰＮ信号の相違として表れる。すなわち、例えば、ＣＤＭＡ基地局１５ｂは、ＣＤＭＡ基地局１５ａより僅かに遅れたタイミングで信号を発信している。例えば、１２８ｃｈｉｐｓ（０．１０４ｍｓ（ミリ秒））分だけ、パイロットＰＮオフセットを設けている。
このように多数のＣＤＭＡ基地局１５ａ等が存在しても、各ＣＤＭＡ基地局１５ａ等が６４ｃｈｉｐの整数倍（本実施の形態では、６４ｃｈｉｐ×２）だけ、それぞれ異なるパイロットＰＮオフセットを設けることで、受信する腕時計１０は、どのＣＤＭＡ基地局１５ａ等からの信号を受信したかを容易に把握することができる構成となっている。
【００３１】
また、ＣＤＭＡ基地局１５ａ等から送信される信号には、シンクチャネル信号があり、これが図１０のシンクチャネルメッセージである。図１０は、シンクチャネルメッセージの内容を示す概略図である。
図１０に示すように、シンクチャネルメッセージには、上述したパイロットＰＮ信号のデータ、例えば、パイロットＰＮオフセットデータが６４ｃｈｉｐｓ（０．０５２ｍｓ）×Ｎ（０〜５１２）であることを示すデータ（本実施の形態では、１２８ｃｈｉｐ（０．１０４ｍｓ））が含まれている。このデータは、図１０では「ＰＩＬＯＴ＿ＰＮ」で表されている。
また、シンクチャネルメッセージには、ＧＰＳ時刻データであるシステム時間のデータも含まれている。
システム時間は、１９８０年１月６日０時からの８０ｍｓ単位の積算時間となっている。このデータは、図１０では「ＳＹＳ＿ＴＩＭＥ」で表されている。このデータは、図１０では「ＳＹＳ＿ＴＩＭＥ」で表されている。
【００３２】
また、シンクチャネルメッセージには、世界協定時（ＵＴＣ）に換算するための「うるう「閏」秒」のデータも含まれている。このデータは、図１０では、「ＬＰ＿ＳＥＣ」で表されている。ここでは、例えば、「１３」秒又は「１４」秒というデータとなっている。つまり「うるう秒」は、時刻情報に含まれる地球の自転等に関する閏秒情報の一例となっている。
また、シンクチャネルメッセージには、時計１０が所在する国又は地域のＵＴＣに対する時差データである、ローカルオフセット時間が含まれている。すなわち、例えば、日本の場合は、ＵＴＣに９時間プラスされた時間である旨のデータ等が格納されている。このデータは、図１０では、「ＬＴＭ＿ＯＦＦ」で表される。
【００３３】
また、シンクチャネルメッセージには、時計１０が所在する国や地域がサマータイム等を採用しているか否かのサマータイムデータも含まれている。日本の場合は、サマータイム制を採用していないため、そのデータは「０」となる。このデータは、図１０では、「ＤＡＹＬＴ」で表される。
【００３４】
また、本実施の形態の腕時計１０は、上述の図１０に示すシンクチャネルメッセージ等をＣＤＭＡ基地局１５ａ等から受信して時刻修正を行なうが、このＣＤＭＡ基地局１５ａ等からの時刻情報をそのまま用いて時刻修正を行なうと、誤差が生じ、精度良く腕時計１０の時刻修正を行なうことができない場合がある。
このため、図７乃至図１０のフローチャートでかかる誤差を補正して時刻修正することとなるが、その前提として、ＣＤＭＡ基地局１５ａ等が発信する時刻情報に誤差が生じる理由を説明する。
【００３５】
図１１は、ＣＤＭＡ基地局１５ａ等が発信する時刻情報に誤差が生じる状態を具体的に示した概略説明図である。
図１１のデータ区分に示すように、ＣＤＭＡ基地局１５ａ等から発信される時刻情報に関するデータとしては、例えば、「秒桁上げタイミング」、「時間インターバル」、「ＳＹＳ＿ＴＩＭＥ」、「閏秒補正値」、「ローカルオフセット」及び「サマータイム」等がある。
このうち、「ＳＹＳ＿ＴＩＭＥ」、「閏秒補正値」、「ローカルオフセット」及び「サマータイム」については、既に説明したので、以下、「秒桁上げタイミング」及び「時間インターバル」について説明する。
ＣＤＭＡ基地局１５ａ等が発信するシステム時間（ＳＹＳ＿ＴＩＭＥ）は、ＧＰＳ時刻データであるが、このシステム時間を含むシンクチャネルメッセージ等の情報は、各ＣＤＭＡ基地局１５ａ等の発信タイミングに従って発信される。
そして、このようなシンクチャネルメッセージ等の情報を受信する腕時計１０は、この基地局の発信タイミングに合わせてシステム時間を修正することとなる。
そして、各ＣＤＭＡ基地局１５ａ等の発信タイミングが、ＧＰＳ衛星の時刻情報の発信タイミングと正確に一致していれば、問題がないが、実際は、この各ＣＤＭＡ基地局１５ａの発信タイミングの設定は、操作者が手動等でおこなうため、１秒まではズレないものの０．５秒程度はズレてしまう場合が多い。そこで、後述するような、工程を経て時刻修正をすることとなる。
【００３６】
一方、各ＣＤＭＡ基地局１５ａ等の発信する基地局の発信タイミングには、秒単位の発信タイミングの情報が含まれており、これが、図１１の秒桁上げタイミングのデータとなる。
すなわち、各ＣＤＭＡ基地局１５ａ等のシステム時間の秒単位のデータは、この秒桁上げタイミングのデータに合わせて、ＣＤＭＡ基地局１５ａ等から発信されている。
したがって、ＣＤＭＡ基地局１５ａ等から信号を受信する腕時計１０は、この秒桁上げタイミングのデータに合わせて、システム時間の秒データを合わせることで、ＣＤＭＡ基地局１５ａ等と同じ時間とすることができる。
このように、ＣＤＭＡ基地局１５ａ等の秒桁上げタイミングが、基地局側時刻発信タイミング情報の一例となっている。
【００３７】
なお、上述のように、ＣＤＭＡ基地局１５ａ等は、当初、秒桁上げタイミングが手動で行われても、その後、ＧＰＳ衛星等から、その秒桁上げタイミングのデータを取得することで、秒桁上げタイミングを、ＧＰＳ衛星等に合致させた精度の高いタイミングデータとすることができる。
しかし、これはＣＤＭＡ基地局１５ａ等が地上等に配置されている場合であり、ＣＤＭＡ基地局１５ａ等が地下等に配置されている場合は、アンテナ等でＧＰＳ衛星等から精度の高い秒桁上げタイミングデータを取得できない場合が多い。
つまり、地下等に配置されているＣＤＭＡ基地局１５ａ等は、その設定時における秒桁上げタイミングの誤差、例えば、０．５秒をそのまま維持する可能性が高いこととなる。
このケースが、図１１のＣＡＳＥ３となっている。
【００３８】
また、図１１のデータ区分の「時間インターバル」は、１秒の長さのデータであり、この時間インターバルは、各ＣＤＭＡ基地局１５ａ等のクロック等が正確であるため、誤差が生じることはない。
一方、図３に示す腕時計１０のＲＴＣ２５及びＴＣＸＯ２６は、温度等によって、僅かに狂いはじめることがあるため、腕時計１０では、「時間インターバル」は一定ではない。
【００３９】
また、図１１のデータ区分の「閏秒補正値」は、マニュアルで設定されるが、この設定される時期が、当該「閏秒補正値」適用時期に合わせて行われることは、事実上不可能である。このため、実際の適用時期である例えば、７月１日や１月１日の午前０時より前、例えば３ヶ月前に、「閏秒補正値」が１３秒から１４秒へ手動で補正されることになる。
すると、この補正が行われたときから、次の「閏秒補正値」の適用時期までは、１秒誤差が生じることとなる。このため、後述のように、時刻修正の際に補正することとなる。
【００４０】
以上の説明を踏まえて、図１１のＣＡＳＥ１乃至ＣＡＳＥ３を順に説明する。図１１のＣＡＳＥ１は、ＣＤＭＡ基地局１５ａ等が地上等に設置され、アンテナ等を介してＧＰＳ衛星等からデータを受信できる環境下にある場合、すなわち、正常時刻状態を示している。
具体的には、秒桁上げタイミングもＧＰＳ衛星等の秒桁上げタイミングに合致した精度の高いタイミングデータとなっている。
また、閏秒補正値もマニュアル補正される前であるため、閏秒データも精度が高いデータとなっている。
さらに、ローカルオフセットやサマータイムも正しく設定されている。
つまり、腕時計１０が、ＣＡＳＥ１のようなＣＤＭＡ基地局から秒桁上げタイミングや時刻情報等を受信して、この時刻情報等に基づいて時刻修正をした場合は、精度良く時刻修正を行なうことができることとなる。
【００４１】
次に、ＣＡＳＥ２の場合について説明する。ＣＡＳＥ２の場合は、ＣＡＳＥ１のＣＤＭＡ基地局の状態で、マニュアルで閏秒補正値が変更された場合である。例えば、１３秒から１４秒へ変更された場合である。
この場合は、変更されるのが上述のように、実際の適用時期から例えば３ヶ月程度前の場合が多いので、この場合は、変更後、実際の適用時（例えば、１月１日午前０時）まで、１秒の誤差が発生していることになる。
【００４２】
次ぎに、ＣＡＳＥ３について説明する。ＣＡＳＥ３では、ＣＤＭＡ基地局が、例えば地下等に設置されているため、秒桁上げタイミングがＧＰＳ衛星等の秒桁上げタイミングと例えば、０．５秒程度相違している状態が含まれる。また、このように、秒桁上げタイミングの相違だけでなく、上述の閏秒の変更が行われている場合も含まれる。
【００４３】
本実施の形態では、腕時計１０側では、ＣＤＭＡ基地局１５ａ等が、図１１のどのＣＡＳＥに該当するのかわからない状態で、信号を受信し、その信号等から、ＣＤＭＡ基地局１５ａ等がどのような場合に該当するかを判断し、その判断結果に基づき、データを補正等して時刻修正しようとするものである。
【００４４】
以下、図７乃至図９のフローチャートにしたがって本実施の形態に係る腕時計１０の動作等を説明しつつ、その関連で図４乃至図６の各種プログラムや各種データを説明する。
図７は、立ち上げ処理を示す概略フローチャートである。すなわち、腕時計１０が今まで電源がＯＦＦ状態等の場合で、初めて電源を投入した際に、時刻修正を行なう場合である。換言すれば、コールドスタートの状態である。
先ず、図７のＳＴ１に示すように、腕時計１０は、ＣＤＭＡ基地局１５ａ等から送信される電波のうち、パイロットチャネルの信号電波を受信するためパイロットチャネルスキャンを行う。具体的には、図４のパイロットチャネル受信プログラム３１が動作し、パイロットチャネルスキャンを行う。
【００４５】
次に、ＳＴ２に進み、一番近いＣＤＭＡ基地局１５ａ等からパイロットチャネル信号を受信できたか否かを判断する。そして、一番近いＣＤＭＡ基地局１５ａ等からパイロットチャネル信号を受信できなかった場合は、ＳＴ３に進み、手動時刻設定を表示する。
すなわち、図４の手動時刻設定画面表示プログラム３２が動作し、図５の手動時刻設定画面データ４１ａを図１のディスプレイ１４に表示する。
したがって、腕時計１０の利用者は、正確な時刻をりゅうず２８等を操作して入力することができ、りゅうず２８等により図３のＲＴＣ２５及びＴＣＸＯ２６等は、正確な時刻を文字板１２等に表示させることができることになる。
このように、腕時計１０の電源を投入した際に、ＣＤＭＡ基地局１５ａ等から時刻修正するための時刻情報等を取得でなくでも、腕時計１０は、正確な時刻に修正されることになる。
つまり、りゅうず２８は、文字板１２等の時刻表示部の表示時刻情報を外部入力により変更するための表示時刻情報変更部の一例である。そして、りゅうず２８等から入力された情報に基づき文字板１２等の表示時刻情報が修正される構成となっている。
【００４６】
一方、ＳＴ２で、パイロットチャネル信号を受信できたときは、ＳＴ４へ進む。ＳＴ４では、シンクチャネルに切り替え、図１０に示すシンクチャネルメッセージを受信する。
具体的には、図４のシンクチャネルメッセージ受信プログラム３３が動作し、ＣＤＭＡ基地局１５ａ等から送信されたシンクチャネルメッセージを受信して、図５のシンクチャネルメッセージデータ格納部５１に格納する。
次に、ＳＴ５へ進む。ＳＴ５では、受信したシンクチャネルメッセージに基づき時刻を修正して表示する。
具体的には、図４の時刻修正プログラム３４が動作し、図６のシンクチャネルメッセージデータ５１ａのシステム時間（ＳＹＳ＿ＴＩＭＥ）等に基づいて、精度の高い時刻情報を生成し、図３のＲＴＣ２５等が表示する表示時刻情報を修正する。
【００４７】
次に、ＳＴ６へ進む。ＳＴ６では、ＳＴ５で、図１の文字板１２等に示された表示時刻情報を利用者（ユーザ）が修正したか否かを判断する。具体的には、図４のユーザ時刻修正実施有無判断プログラム３５が動作して判断する。
すなわち、ＳＴ６で、ユーザが表示時刻情報を修正しなければ、それは正しい時刻情報であるとして、立ち上げ処理が終了する。この場合は、図１１のＣＡＳＥ１に該当することになる。
そして、ユーザ時刻修正実施有無判断プログラム３５が、情報精度判断部の一例であり、このプログラムが、表示時刻情報変更部（例えば、りゅうず２８等）から入力された情報に基づき、時刻表示部（例えば、文字板１２等）の表示時刻情報を修正する構成となっている。
一方、ＳＴ６で、ユーザが表示時刻情報を修正した場合は、文字板１２等の表示時刻情報に誤差があるため、終了せず、ＳＴ７へ進む。
【００４８】
ＳＴ７では、ユーザにより修正された時刻が１秒以内か否かが判断される。つまり、図１１及び図１０に示すように、ＣＤＭＡ基地局１５ａ等から送信されるシンクチャネルメッセージ中には、閏秒のデータがあり、この閏秒のデータは、上述のように、適用前に変更される場合があり、その変更は通常、１秒である。
したがって、ＳＴ７では、表示時刻情報をユーザが１秒修正した場合は、それは、未だ適用されていない時刻を、現在の正しい時刻に修正したとみなすようになっている。
すなわち、この場合は、図１１のＣＡＳＥ２に相当する場合である。そして、ＳＴ７で、修正が１秒以内の場合は、そのまま終了する。
【００４９】
一方、ＳＴ７で、ユーザが修正した時間が１秒以内でない場合は、数秒修正しているため、今回のＣＤＭＡ基地局１５ａ等からの時刻情報は信頼できないと判断して、ＳＴ３へ進み、手動時刻設定を表示し、ユーザが文字板１２等を修正することになる。
つまり、この場合は、図１１のＣＡＳＥ３に該当する場合である。
【００５０】
このようにして、立ち上げ処理が終了する。つまり、本実施の形態では、立ち上げ処理において、ＣＤＭＡ基地局１５ａ等から送信される時刻情報の信頼性を判断し、精度の高いＣＤＭＡ基地局１５ａ等を選択すると共に、かかるＣＤＭＡ基地局１５ａ等からの時刻情報に基づいて時刻修正を行なう構成となっている。
【００５１】
このようにして、腕時計１０の立ち上げ処理が終了すると、次は、通常処理に移る。図８及び図９は、通常処理を示す概略フローチャートである。
先ず、図８のＳＴ１１乃至ＳＴ１３の工程が行われる。これら、ＳＴ１１乃至ＳＴ１３は、図７のＳＴ１、ＳＴ２及びＳＴ４と同様であるため、その説明を省略する。
ＳＴ１４以下では、図７のＳＴ５のように、ＣＤＭＡ基地局１５ａ等から受信したシンクチャネルメッセージ等に基づいて、直ぐに時刻修正等をしない。
この点について、フローチャートを説明する前に図１２を用いて説明する。
図１２は、ＣＤＭＡ基地局１５ａ等及び腕時計１０のＲＴＣ２５等の信号の発信タイミング等、特に時刻情報の発信タイミング（秒桁上げタイミング）等を示す概略説明図である。
【００５２】
また、図１２において、ａは、図１１の時間インターバルを示し、例えば１秒の間隔を示す。つまり、図１２のＣＤＭＡ基地局（地上）では、１秒の間隔を正確に保持しながら信号が発信されている。
そして、この信号の発信タイミングは、アンテナ等を介して受信した、ＧＰＳ衛星等の発信タイミングである秒桁上げタイミングに合致したものとなっている。いわば、最も精度の高い状況である。
これは、上述した図１１のＣＡＳＥ１に対応する。
次に、図１２のＣＤＭＡ基地局（地下）は、図示するように、信号の秒桁上げタイミングが、ｂ（例えば、０．５秒）だけズレでいる。これは、上述のように、設定時にマニュアルで秒桁上げタイミングを設定したため、当初の誤差ｂがそのまま維持されている状態であり、図１１のＣＡＳＥ３の場合である。
すなわち、このＣＤＭＡ基地局は地下にあるため、ＧＰＳ衛星等の秒桁上げタイミングをアンテナ等で受信することができず、修正することができない状態である。
また、図１２のＲＴＣの実線部分は、腕時計１０のＲＴＣ２５の秒桁上げタイミングを示すものである。図１２に示す、ＲＴＣ２５の秒桁上げタイミングは、図３のＴＣＸＯ２６が生成する発振回路が生成するタイミングに基づくものである。しかし、このＴＣＸＯ２６は、温度等で誤差が生じる場合があり、その誤差を示したのが図１２のＲＴＣの秒桁上げタイミングである。
【００５３】
本実施の形態では、腕時計１０が受信した信号の発信元のＣＤＭＡ基地局１５ａ等が図１２のＣＤＭＡ基地局（地上）であるか、またはＣＤＭＡ（地下）であるかが、当初は不明な状態となっている。
また、腕時計１０のＲＴＣ２５の秒桁上げタイミングも誤差が生じている可能性が高い状態である。
そこで、複数、例えば３個のＣＤＭＡ基地局１５ａ等から図１２に示すような秒桁上げタイミングのデータを取得し、そのうちの多数、例えば２個の秒桁上げタイミングのデータが一致すれば、その秒桁上げタイミングを送信しているＣＤＭＡ基地局１５ａ等は地上に設置されていると判断する。
このように判断するのは、地下のＣＤＭＡ基地局は、設置されている数が少ないことと、ユーザは、地下から地上へと移動することが多いことに基づくものである。
【００５４】
そして、このように複数のＣＤＭＡ基地局１５ａ等の秒桁上げタイミングのデータを取得するまでは、腕時計１０の時刻修正を図７のＳＴ５のように行なわない。その代わり、腕時計１０のＲＴＣ２５の秒桁上げタイミングを、受信したＣＤＭＡ基地局１５ａ等からの秒桁上げタイミングに合わせるようにした。
つまり、図１２に示すように、ＣＤＭＡ基地局１５ａ等からの信号の秒桁上げタイミングで取得される１秒の長さ（図１１の時間インターバル）は、そのＣＤＭＡ基地局１５ａ等が地上にあるか、地下にあるかにかかわらず同一であり、正しい長さとなっている。
一方、ＲＴＣ２５は、そのＴＣＸＯ２６の誤差が反映し、１秒の長さに誤差が生じている。
そこで、本実施の形態では、先ず、複数のＣＤＭＡ基地局１５ａ等からの秒桁上げタイミングのデータを取得するまでは、ＣＤＭＡ基地局１５ａ等からの信号の秒桁上げタイミングのデータにＲＴＣ２５の秒桁上げタイミングを合わせる修正を行なう。これにより、図１２にＲＴＣ（下側）の破線部分で示すように、ＲＴＣ２５の１秒の間隔（時間インターバル）を修正することができる。図１２の場合は、ｃ、ｄ、ｅで示すように修正される。
【００５５】
図１２に場合は、地下に配置されたＣＤＭＡ基地局１５ａ等に１秒の間隔をあわせたため、時刻情報としては、依然としてｂ（例えば、０．５秒）の誤差が生じている。
しかし、このように、ＲＴＣ２５の秒桁上げタイミングを修正することで、誤差はｂの範囲、例えば０．５秒に固定されることとなり、腕時計１０の時刻が大幅に狂うことを未然に防ぐことができる。
また、この誤差は、腕時計１０が、複数、例えば３個のＣＤＭＡ基地局１５ａ等からの秒桁上げタイミングのデータを取得することで、上述のように解消するので、それほど長い間ではない。
つまり、最終的には、腕時計１０は、図１２の地上に設置しているＣＤＭＡ基地局１５ａ等の信号を判別して、当該ＣＤＭＡ基地局１５ａ等から発信される秒桁上げタイミングと時刻情報に基づき、図７のＳＴ５のように時刻修正を行なうので、文字板１２等の時刻を精度の高い時刻とすることができる。
【００５６】
以上の点について、以下、図８のＳＴ１４以下で、具体的に説明する。ＳＴ１４では、図６のシンクチャネルメッセージデータ５１ａのシステム時間（ＳＹＳ＿ＴＩＭＥ）と、これに対応するＣＤＭＡ基地局１５ａ等から発信された信号における秒桁上げタイミングデータ（ＣＤＭＡ基地局秒桁上げタイミングデータ）を取得する（基地局側時刻発信タイミング情報格納工程及び時刻情報格納工程の一例）。
すなわち、図６に示すように、ＣＤＭＡ基地局秒桁上げタイミングデータ５２ａは、ＣＤＭＡ基地局秒桁上げタイミングデータ格納部５２に格納する（ＳＴ１５）。
【００５７】
このように、ＣＤＭＡ基地局秒桁上げタイミングデータ５２ａが、携帯基地局から発信される発信タイミング情報である基地局側発信タイミング情報の一例であり、ＣＤＭＡ基地局１５ａ等から発信されるシンクチャネルメッセージ等の時刻情報と合わせて、時刻関連情報の一例となっている。
そして、ＣＤＭＡ基地局秒桁上げタイミングデータ格納部５２が、基地局側時刻発信タイミング情報格納部の一例となっている。
また、シンクチャネルメッセージデータ５１ａは、その発信元のＣＤＭＡ基地局１５ａのＣＤＭＡ基地局秒桁上げタイミングデータ５２ａと関連付けて格納されている。このため、シンクチャネルメッセージデータ格納部５１は、時刻情報を基地局側時刻発信タイミング情報と関連付けて格納する時刻情報格納部の一例となっている。
【００５８】
また、ＳＴ１４では、図６にＲＴＣ秒桁上げタイミングデータ格納部５３に、図３のＲＴＣ２５の秒桁上げタイミングデータ５３ａを格納する。
ＲＴＣ２５は、この秒桁上げタイミングデータ５３ａに基づいて表示時刻情報を生成しているため、この秒桁上げタイミングデータ５３ａが、表示時刻情報の基準となる時刻表示部発信タイミング情報の一例となっている。
【００５９】
次に、ＳＴ１６へ進む。ＳＴ１６では、ＣＤＭＡ基地局秒桁上げタイミングデータ５２ａとＲＴＣ秒桁上げタイミングデータ５３ａとが一致するか否かが判断される。
具体的には、図４の秒桁上げタイミング比較プログラム３６が動作し、図６のＣＤＭＡ基地局秒桁上げタイミングデータ５２ａとＲＴＣ秒桁上げタイミングデータ５３ａとを比較する。
【００６０】
そして、ＳＴ１６で、一致しない場合は、ＳＴ１７へ進み、ＲＴＣ秒桁上げタイミングデータ５３ａをＣＤＭＡ秒桁上げタイミングデータ５２ａに合致させる（発信タイミング情報修正工程の一例）。
この工程が、上述の図１２のＲＴＣの秒桁上げタイミングを、図１２のＣＤＭＡ基地局（地下）の秒桁上げタイミングに合わせることに相当する。
具体的には、図４の秒桁上げタイミング修正プログラム３７が動作し、ＲＴＣ２５等を修正する。
このように、秒桁上げタイミング修正プログラム３７が、発信タイミング情報修正部の一例となっている。
【００６１】
次に、ＳＴ１８へ進む。ＳＴ１８では、腕時計１０が受信したＣＤＭＡ基地局桁上げタイミングデータ５２ａが３個以上、保存されているか否かが判断される。
つまり、上述のように、地下等に設置されているＣＤＭＡ基地局１５ａ等は少なく、地上に設置されているＣＤＭＡ基地局１５ａ等が多いことに鑑み、より時刻精度の高い地上に設置されているＣＤＭＡ基地局１５ａからの信号を選択するための工程となっている。
具体的には、図４のＣＤＭＡ基地局秒桁上げタイミングデータカウントプログラム３８が動作し、図６のＣＤＭＡ基地局秒桁上げタイミングデータ格納部５２内のＣＤＭＡ基地局秒桁上げタイミングデータ５２ａを参照して、３個以上、保存されているか否かを判断する。
【００６２】
そして、ＳＴ１９へ進み、最も多いＣＤＭＡ基地局桁上げタイミングデータ５２ａを選択し、このＣＤＭＡ基地局桁上げタイミングデータ５２ａと関連付けられているシンクチャネルメッセージデータ５１ａが選択される（基地局側時刻発信タイミング情報抽出工程の一例）。
つまり、図１２で説明したように、地上に設置されているＣＤＭＡ基地局１５ａ等の数が最も多いこと、ユーザが地下から地上へと移動すること等から、最も多いＣＤＭＡ基地局桁上げタイミングデータ５２ａが、地上に設置されているＣＤＭＡ基地局１５ａ等の送信データとなる可能性が高い。そして、この地上に設置されているＣＤＭＡ基地局１５ａ等のＣＤＭＡ基地局秒桁上げタイミングデータ５２ａは、ＧＰＳ衛星等の秒桁上げタイミングと合致した精度の高いデータとなる。
ＳＴ１９では、具体的には、図４のＣＤＭＡ基地局秒桁上げタイミング選択プログラム３９が動作し、ＧＰＳ衛星等の秒桁上げタイミングと合致した精度の高いＣＤＭＡ基地局秒桁上げタイミングデータ５２ａに対応したシンクチャネルメッセージデータ５１ａが選択されることになる
つまり、ＣＤＭＡ基地局秒桁上げタイミングデータカウントプログラム３８及びＣＤＭＡ基地局秒桁上げタイミング選択プログラム３９が、基地局側時刻発信タイミング情報集出部の一例となっている。
【００６３】
以上の工程により、図１２で示す地上に設置される時刻精度の高いＣＤＭＡ基地局１５ａ等の送信データを選択することができる。
しかし、上述のように、かかるデータであっても、閏秒データの問題がある。つまり、実際に適用される前に、閏秒データが、例えば３ヶ月前にＣＤＭＡ基地局１５ａ等のデータ上で変更される場合がある。そこで、ＳＴ２０以下に工程が行われる。
先ず、ＳＴ２０では、ＳＴ１９で選択されたシンクチャネルメッセージデータ５１ａからシステム時間（ＳＹＳ＿ＴＩＭＥ）と、うるう「閏」秒（ＬＰ＿ＳＥＣ）（図１０参照）、例えば「１４」秒等のデータを取得し、ＵＴＣ（世界協定時）を算出する。
これは、世界協定時、つまりグリニッジ標準時における年、月、日、時間、分及び秒となる。
つまり、図６のシンクチャネルメッセージデータ格納部５１は、閏秒情報格納部の一例ともなっている。また、ＳＴ２０は、具体的には、図４のＵＴＣ時刻算出プログラム３０１により実行される。
【００６４】
次に、ＳＴ２１で、今回受信したうるう秒データが、既登録受信うるう秒データと相違するか否かが判断される。
つまり、図６に示すように、第２の各種データ記録部５０には、過去にＣＤＭＡ基地局１５ａ等から受信したシンクチャネルメッセージ（図１０参照）の「うるう秒」データである、既登録受信うるう秒データ５４ａを格納する既登録受信うるう秒データ格納部５４が設けられている。
そこで、今回、上述のＳＴ１３で受信したシンクチャネルメッセージの「うるう秒」データと、既登録受信うるう秒データ５４ａとが比較され、データが相違していないか否かが判断される。
【００６５】
すなわち、例えば８月２０日に受信した、既登録受信うるう秒データ５４ａが「１３秒」で、今回、例えば８月３０日に受信した今回受信うるう秒データが「１４秒」の場合は、既登録受信うるう秒データ５４ａと今回受信うるう秒データとが相違することとなる。
この場合、「１４秒」は、例えば来年の１月１日午前０時から実施される予定の「うるう秒」データであることがわかる。
【００６６】
このように、ＳＴ２１で、「うるう秒」のデータが相違すると判断された場合は、今回受信した「うるう秒」データは、変更されており、来年等のデータであるため、この「うるう秒」のデータを適用させるべきか否かを判断するため、ＳＴ２２に進む。
【００６７】
ＳＴ２２では、ＵＴＣ時刻データが、６月３０日又は１２月３１日の２３時５９分５９秒であるか否かを判断する。
つまり、ＳＴ１３で受信した、今回受信うるう秒データが、実際に適用（実施）される時期が到来したか否かを判断する。
具体的には、うるう秒適用判断プログラム３０２が、今回のＵＴＣ時刻データと、図５のうるう適用時期データ４２ａに基づいて判断する。うるう秒適用時期データ４２ａには、判断時期データとして、例えば、６月３０日又は１２月３１日の２３時５９分５９秒等のデータが記憶されている。
このように、図５のうるう秒適用時期データ格納部４２は、閏秒実行時期情報格納部の一例となっている。
【００６８】
次に、ＳＴ２２で、今回のＵＴＣ時刻データが適用時期に該当する場合は、今回受信うるう秒データ（例えば「１４秒」）を、既登録受信うるう秒データ５４ａとして登録し（ＳＴ２３）、その後、ＳＴ２４へ進む。
ＳＴ２４では、今回受信のうるう秒等に基づいて時刻が修正され、表示される。
すなわち、図４の時刻修正プログラム３４が動作し、シンクチャネルメッセージデータ５１ａや秒桁上げタイミングデータ等に基づいて、図３のＲＴＣ２５を修正し、図１の文字板１２等の表示時刻情報を修正する。
このように、時刻修正プログラム３４は、表示時刻情報修正部の一例となっている。
【００６９】
一方、ＳＴ２２で、「ＮＯ」、すなわち、今回のＵＴＣ時刻データが、６月３０日又は１２月３１日の所定時間となっていない場合は、今回受信うるう秒データは、変更されているが、現在の時間において適用される「うるう秒」データではないことになる。
この場合に、直ちに、今回受信うるう秒データを用いて時刻修正を行なうと、「うるう秒」が変更されている分だけ、上述の例の場合は、「１秒」だけ時刻が遅れることとなり、正確な時刻修正を行なうことができない。
この点、本実施の形態では、ＳＴ２２で「ＮＯ」の場合は、ＳＴ２５へ進む。このＳＴ２５では、今回受信うるう秒ではなく、図６の既登録受信うるう秒データ５４ａに基づいて、時刻修正プログラム３４がＲＴＣ２５を修正する構成となっている。
このため、その適用をすべき時期に合致した「うるう秒」データを使用するので、従来のように時刻が例えば「１秒」分だけ誤差が生じることを未然に防止することができる構成となっている。
【００７０】
一方、ＳＴ２１で今回受信うるう秒データが既登録受信うるう秒データ５４ａと相違しない場合、すなわち、同じ場合は、ＳＴ２６へ進む。
例えば、既登録受信うるう秒データ５４ａを受信したのが例えば、１ヶ月前で、ＣＤＭＡ基地局１５ａ等がうるう秒データを変更したので、その１ヶ月前の場合がある。
この場合で、変更後のうるう秒データの適用時期が将来に場合は、結果的に時刻修正に誤差が生じてしまう。
そこで、本実施の形態では、ＳＴ２６及びＳＴ２７へ進む。ＳＴ２６及びＳＴ２７では、ＳＴ２４で時刻修正した表示時間情報が腕時計１０に表示されるため、これを見たユーザが１秒時刻修正した場合は、うるう秒の補正があったものとして、その時刻で確定させる。つまり、ユーザの判断によりうるう秒の誤差を修正させることができる構成となっている。
【００７１】
以上のように、本実施の形態では、図１１のＣＡＳＥ１乃至ＣＡＳＥ３のいずれの場合であるかを判断して、最適なＣＤＭＡ基地局１５ａ等の送信データに基づき時刻修正をすることができるので、常に、腕時計１０が置かれた状況にかかわらず常に、精度の高い時刻修正が可能となる。
【００７２】
（第２の実施の形態）
図１３は、本発明の第２の実施の形態にかかる時刻修正装置付き腕時計「以下「腕時計」という」の主な動作等を示す概略フローチャートである。本実施の形態に係る腕時計の構成等の多くは、上述の第１の実施の形態の構成等と共通しているため、共通する構成等は同一符号等として説明を省略し、以下相違点を中心に説明する。
本実施の形態は、図１１のＣＡＳＥ３に該当する場合のＣＤＭＡ基地局１５ａ等に対応するものである。すなわち、ＣＡＳＥ３で、ＣＤＭＡ基地局１５ａ等を設置する設置主体によるＣＤＭＡ基地局１５ａ等の管理が悪く、システム時間自体の管理が悪い場合である。
この場合は、このようなＣＤＭＡ基地局１５ａ等のシンクチャネルメッセージ等の時刻情報に基づいて時刻修正を行なうと、修正により、時刻の誤差が生じてしまうことがありうる。
しかし、図１１に示すように、そのようなＣＤＭＡ基地局１５ａ等でも、ローカルオフセットデータやサマータイムデータは正しい。そこで、海外への移動等で、現地のＣＤＭＡ基地局１５ａ等の管理が悪い場合は、敢えて、時刻修正のすべてを行なわず、ローカルオフセットデータ及びサマータイムデータのみから、時差とサマータイムのみを修正しようとするものである。
このようにすることで、ＣＤＭＡ基地局１５ａ等の管理が悪い地域でも、精度の高い時刻情報を維持することができる腕時計となる。
【００７３】
具体的には、図１３に示すような工程となる。図１３のＳＴ２１乃至ＳＴ２３は、上述の図６のＳＴ１１乃至ＳＴ１３と同様であり、相違するのはＳＴ２４である。
ＳＴ２４では、取得したシンクチャネルメッセージ（図１０参照）から、ローカルオフセットデータ、つまり、ＵＴＣからの時差データと、サマータイムの有無データを取得し、かかるデータのみ修正する。
このように、修正することで高精度な時刻修正を行なうことができる。
【００７４】
本発明は、上述の実施の形態に限定されない。
【図面の簡単な説明】
【００７５】
【図１】第１の実施の形態にかかる時刻修正装置付き腕時計を示す概略図である。
【図２】図１の腕時計の内部の主なハードウエア構成等を示す概略図である。
【図３】腕時計の主なソフトウエア構成等の構成を示す概略全体図である。
【図４】図３の各種プログラム格納部内のデータを示す概略図である。
【図５】図３の第１の各種データ記憶部内のデータを示す概略図である。
【図６】図３の第２の各種データ記憶部内のデータを示す概略図である。
【図７】腕時計の電源等を入れた直後等の時刻修正等の工程を示す概略フローチャートである。
【図８】腕時計の通常使用における時刻修正等の工程を示す概略フローチャートである。
【図９】腕時計の通常使用における時刻修正等の工程を示す他の概略フローチャートである。
【図１０】シンクチャネルメッセージの内容を示す概略図である。
【図１１】ＣＤＭＡ基地局等が発信する時刻情報に誤差が生じる状態を具体的に示した概略説明図である。
【図１２】ＣＤＭＡ基地局等及び腕時計のＲＴＣ等の信号の発信タイミング等、特に時刻情報の発信タイミング（秒桁上げタイミング）等を示す概略説明図である。
【図１３】本発明の第２の実施の形態にかかる時刻修正装置付き腕時計の主な動作等を示す概略フローチャートである。
【符号の説明】
【００７６】
１０・・・時刻修正装置付き腕時計、１２・・・文字板、１４・・・ディスプレイ、１５ａ及び１５ｂ・・・ＣＤＭＡ基地局、２４・・・ＣＤＭＡ基地局電波受信機、２５・・・リアルタイムクロック（ＲＴＣ）、２６・・・温度補償回路付き水晶発信回路（ＴＣＸＯ）、２８・・・りゅうず、３１・・・パイロットチャネル受信プログラム、３２・・・手動時刻設定画面表示プログラム、３３・・・シンクチャネルメッセージ受信プログラム、３４・・・時刻修正プログラム、３５・・・ユーザ時刻修正実施有無判断プログラム、３６・・・秒桁上げタイミング比較プログラム、３７・・・秒桁上げタイミング修正プログラム、３８・・・ＣＤＭＡ基地局秒桁上げタイミングデータカウントプログラム、３９・・・ＣＤＭＡ基地局秒桁上げタイミング選択プログラム、４１ａ・・・手動時刻設定画面データ、４２ａ・・・うるう適用時期データ、５１ａ・・・シンクチャネルメッセージデータ、５２ａ・・・ＣＤＭＡ基地局秒桁上げタイミングデータ、５３ａ・・・秒桁上げタイミングデータ、５４ａ・・・既登録受信うるう秒データ、３０１・・・ＵＴＣ時刻算出プログラム、３０２・・・うるう秒適用判断プログラム
【図１】
2008175633.tif 000003
【図２】
2008175633.tif 000004
【図３】
2008175633.tif 000005
【図４】
2008175633.tif 000006
【図５】
2008175633.tif 000007
【図６】
2008175633.tif 000008
【図７】
2008175633.tif 000009
【図８】
2008175633.tif 000010
【図９】
2008175633.tif 000011
【図１０】
2008175633.tif 000012
【図１１】
2008175633.tif 000013
【図１２】
2008175633.tif 000014
【図１３】
2008175633.tif 000015